(57)【特許請求の範囲】
【請求項１】
可溶部を含む導電性のバスバーと、該バスバーの所定位置に一体成形される樹脂ハウジングと、前記可溶部を臨むように形成される前記樹脂ハウジングの露出窓部を覆って係止される樹脂カバーと、を備えるヒュージブルリンクユニットにおいて、
前記樹脂カバーは、このカバー本体の両側部位置に係止突起を有し、
前記樹脂ハウジングは、前記露出窓部の前記可溶部を臨む方向の奥位置に壁を一体に有するとともに、前記樹脂ハウジングの両側部位置に前記壁の成形により生じ且つ前記係止突起にて覆われるスリットを有する
ことを特徴とするヒュージブルリンクユニット。
【発明の詳細な説明】
【技術分野】
【０００１】
本発明は、可溶部を臨む露出窓部を有するとともにこれを覆って係止される樹脂カバーを有するヒュージブルリンクユニットに関する。
【背景技術】
【０００２】
図７において、下記特許文献１に開示されたヒュージブルリンクユニット１は、自動車のバッテリーに接続されるとともに負荷に対し電源を供給するためのものであって、複数の可溶部２（２ａ、２ｂ〜２ｅ）を含む導電性のバスバー３と、このバスバー３の所定位置に一体に成形される樹脂ハウジング４、５と、樹脂ハウジング４、５に係止される透明な樹脂カバー６、７とを備えて構成されている。
【０００３】
バスバー３は、樹脂ハウジング４から露出する部分として、図示しないバッテリーターミナルに接続されるバッテリーターミナル接続部分８と、ボルト９を設けて図示しない電線端末のターミナルを接続可能にする電線接続部分１０と、可溶部２ａとを有している。また、樹脂ハウジング５から露出する部分としては、可溶部２ｂ〜２ｅの各部分と、負荷に接続される複数のタブ端子１１と有している。この他露出する部分としては、引用符号１２で示されるヒンジ部を有している。ヒンジ部１２は、この位置で折り曲げられる部分として形成されている。
【０００４】
樹脂ハウジング４、５は、可溶部２ａ〜２ｅを露出するためとして、露出窓部１３、１４を有している。露出窓部１３は、可溶部２ａを樹脂ハウジング４の表裏両方向から臨むことができるように、また、露出窓部１４は、可溶部２ｂ〜２ｅを樹脂ハウジング５の表裏両方向から臨むことができるように形成されている。このような露出窓部１３、１４は、透明な樹脂カバー６、７により覆われるようになっている。尚、露出窓部１３、１４及び透明な樹脂カバー６、７の係止にあっては、係止突起及びこの係止突起に引っ掛かる係止部により行われるようになっている。
【先行技術文献】
【特許文献】
【０００５】
【特許文献１】特開２００１−２９７６８３号公報
【発明の概要】
【発明が解決しようとする課題】
【０００６】
上記従来技術における露出窓部１３、１４は、樹脂ハウジング４、５の表裏両方向から可溶部２を臨むことができるように形成されている。しかしながら、ヒュージブルリンクユニット１を図示しないバッテリーに組み付けると、バッテリーに面する側から可溶部２を視認することはなく、従って透明な樹脂カバー６、７のうちの一方（引用符号７の方）は用いる必要性がないという問題点を有している。
【０００７】
また、上記従来技術における透明な樹脂カバー６、７は、透明性・耐熱性を有する高価な樹脂材料を用いて成形されている。従って必要性のない透明な樹脂カバー７の分だけヒュージブルリンクユニット１のコストが増大しているという問題点を有している。
【０００８】
本発明は、上記した事情に鑑みてなされたもので、部品点数の削減及び構造の簡素化を図るとともにコストの低減を図ることが可能なヒュージブルリンクユニットを提供することを課題とする。
【課題を解決するための手段】
【０００９】
上記課題を解決するためになされた請求項１記載の本発明のヒュージブルリンクユニットは、可溶部を含む導電性のバスバーと、該バスバーの所定位置に一体成形される樹脂ハウジングと、前記可溶部を臨むように形成される前記樹脂ハウジングの露出窓部を覆って係止される樹脂カバーと、を備えるヒュージブルリンクユニットにおいて、前記樹脂カバーは、このカバー本体の両側部位置に係止突起を有し、前記樹脂ハウジングは、前記露出窓部の前記可溶部を臨む方向の奥位置に壁を一体に有するとともに、前記樹脂ハウジングの両側部位置に前記壁の成形により生じ且つ前記係止突起にて覆われるスリットを有することを特徴とする。
【００１０】
このような特徴を有する本発明によれば、樹脂ハウジングにおける露出窓部の奥位置に壁が一体化する。この壁は、ヒュージブルリンクユニットを例えばバッテリーに組み付けた際、可溶部の視認をする必要のない側の配置となり、この側において樹脂カバーは不要になる。また、このような特徴を有する本発明によれば、樹脂カバーの係止突起を引っ掛ける部分としてスリットを用いる。スリットは、壁を形成する際に生じる部分、すなわち型抜き穴であって、このような部分でも有効に利用される。
【発明の効果】
【００１３】
請求項１に記載された本発明によれば、可溶部を臨むように形成される露出窓部の奥位置に壁を有することから、この壁の側を樹脂カバーで覆う必要はなく、結果、樹脂カバーの使用数を従来に比べ１つ削減することができるという効果を奏する。また、本発明によれば、樹脂カバーの使用数の削減に伴い、ヒュージブルリンクユニットの構造を従来よりも簡素化することができるという効果を奏する。さらに、従来よりもコストを低減することができるという効果を奏する。
【００１４】
請求項１に記載された本発明によれば、樹脂カバーの係止突起を引っ掛ける部分として係止部を新たに樹脂ハウジングに設けなくても、壁を形成する際に生じるスリットにて代用することができるという効果を奏する。従って、本発明によれば、スリットにて構造の簡素化を図りつつ樹脂カバーを係止することができるという効果を奏する。また、本発明によれば、スリットを係止突起にて覆う構造であることから、防塵性能や防水性能を確保することができるという効果を奏する。
【図面の簡単な説明】
【００１５】
【図１】本発明のヒュージブルリンクユニットをバッテリーに組み付けた状態を示す斜視図である。
【図２】図１のヒュージブルリンクユニットの斜視図である。
【図３】図１のヒュージブルリンクユニットの分解斜視図である。
【図４】ヒュージブルリンクユニットの折り曲げ前の状態を示す図であり、（ａ）は平面図、（ｂ）は正面図、（ｃ）は（ａ）のＡ−Ａ線断面図、（ｄ）は底面図である。
【図５】樹脂成形金型の図であり、（ａ）は平面図、（ｂ）は側面図である。
【図６】樹脂成形金型の下型及びスライド型とヒュージブルリンクユニットとを示す斜視図である。
【図７】従来例のヒュージブルリンクユニットの図であり、（ａ）は平面図、（ｂ）は正面図でである。
【発明を実施するための形態】
【００１６】
以下、図面を参照しながら一実施形態を説明する。図１は本発明のヒュージブルリンクユニットをバッテリーに組み付けた状態を示す斜視図である。また、図２はヒュージブルリンクユニットの斜視図、図３はヒュージブルリンクユニットの分解斜視図、図４はヒュージブルリンクユニットの折り曲げ前の状態を示す図である。さらに、図５は樹脂成形金型の図、図６は樹脂成形金型の下型及びスライド型とヒュージブルリンクユニットとを示す斜視図である。
【００１７】
図１において、引用符号２１は本発明のヒュージブルリンクユニットを示している。このヒュージブルリンクユニット２１は、バッテリーターミナル２２を介して例えば自動車のバッテリー２３におけるバッテリーポスト２４に接続されるとともに、バッテリー２３からの大電流を図示しない負荷へ供給することができるように構成されている。ヒュージブルリンクユニット２１は、バッテリーターミナル２２に接続される部分と、上記負荷に接続される部分とを有している。また、ヒュージブルリンクユニット２１は、過電流が流れた際に自己発熱によって溶断が生じ、これにより回路が遮断される部分を有している。
【００１８】
ヒュージブルリンクユニット２１は、バッテリー２３に組み付けられた状態において裏面２５側がバッテリー２３の側面２６に対向するとともに、反対となる表面２７が外側を向くようなものになっている。
【００１９】
以下、ヒュージブルリンクユニット２１について説明をする。尚、ヒュージブルリンクユニット２１の機能は従来同様であるものとし、機能面の詳細な説明は省略するものとする。
【００２０】
図１ないし図４において、ヒュージブルリンクユニット２１は、可溶部２８（図３及び図４参照）を含む導電性のバスバー２９と、このバスバー２９の所定位置に一体に成形される樹脂ハウジング３０、３１と、可溶部２８を臨むように形成される樹脂ハウジング３１の露出窓部３２を覆って係止される透明な樹脂カバー３３と、バスバー２９の所定位置から突出するように設けられるボルト３４とを備えて構成されている。
【００２１】
ヒュージブルリンクユニット２１は、バッテリー２３に対する組み付け前の状態が図４に示す如く略平面的なものであり、この後に後述するヒンジ部３５の位置で略Ｌ字状となる状態に折り曲げると、バッテリー２３に対し組み付けをすることが可能なものになっている。
【００２２】
バスバー２９は、導電性を有する金属平板をプレス加工により打ち抜いて製造されている（打ち抜き形状の図示は省略するものとする）。バスバー２９は、この一端側にバッテリーターミナル接続部３６、第一端子接続部３７、及び第二端子接続部３８となる部分を有している。また、他端側は、図示しない負荷に対しての接続部分となるタブ端子（図示省略）を複数有している。
【００２３】
バッテリーターミナル接続部３６は、バッテリーターミナル２２に対する接続部分として形成されている。また、第一端子接続部３７及び第二端子接続部３８は、図示しない太物電線の端末に設けられる端子金具に対する接続部分として形成されている。本形態において、第二端子接続部３８の位置には、上記端子金具を挿通して接続及び端子固定を行うためのボルト３４が設けられている。
【００２４】
バスバー２９の中間には、ヒンジ部３５が形成されている。ヒンジ部３５は、この位置で肉厚方向に折り曲げを可能とする部分として形成されている。ヒュージブルリンクユニット２１はヒンジ部３５を有することにより、略Ｌ字状となる状態に折り曲げをすることが可能になっている。このようなヒンジ部３５と図示しない複数のタブ端子との間には、略クランク形状となる細幅部３９が複数設けられている。
【００２５】
各細幅部３９は、それぞれタブ端子の数に対応するように設けられている。細幅部３９の中間には、可溶部２８が加締めによって固定されている。可溶部２８は、例えばスズや鉛等の合金からなるチップであって、過電流が流れると自己発熱により溶断が生じるようになっている。
【００２６】
樹脂ハウジング３０、３１は、絶縁性及び耐熱性を有する樹脂材料を用いてバスバー２９にインサート成形され、これにより図示の形状に形成されている。樹脂ハウジング３０は、バスバー２９におけるバッテリーターミナル接続部３６、第一端子接続部３７、及び第二端子接続部３８を区画するように、また、樹脂ハウジング３１は、露出窓部３２や図示しない負荷との接続部分を有するように形成されている。樹脂ハウジング３０、３１には、放熱用のフィン４０が複数箇所形成されている。樹脂ハウジング３０、３１の間には、ヒンジ部３５が露出するようになっている。
【００２７】
露出窓部３２は、ヒュージブルリンクユニット２１の表面側から細幅部３９及び可溶部２８を臨むことができるように形成されている。露出窓部３２は、細幅部３９及び可溶部２８の周囲に空間が生じるように形成されている。露出窓部３２は、矩形の空室形状に形成されている。このような露出窓部３２の奥位置には、壁４１が設けられている。壁４１は、樹脂ハウジング３１の一部分であって、ヒュージブルリンクユニット２１の裏面位置に配設されている。壁４１は、可溶部２８が自己発熱によって溶断してもバッテリー２３の側面２６に到達してこれに影響を来さないような厚みに形成されている。
【００２８】
露出窓部３２及び壁４１の両側部（樹脂ハウジング３１の両側部）位置には、スリット４２がそれぞれ貫通形成されている。スリット４２は、壁４１を形成する際に生じる型抜き穴であって、細幅部３９及び可溶部２８と、壁４１との間に空間を持たせるような状態に形成されている。スリット４２は、縦長の形状で貫通するように形成されている。このようなスリット４２の上記両側部位置における開口部分は、後述する係止突起５２を引っ掛けて係止するための係止部４３としての機能を有している。スリット４２は、図５に示す樹脂成形金型４４を構成するスライド型４５の形状に応じた形状に形成されている。
【００２９】
ここで図５及び図６を参照しながら樹脂成形金型４４について説明をする。樹脂成形金型４４は、上記の如くスライド型４５を有するとともに、重なり合う上型４６及び下型４７のうち、下型４７にスライド型４５を押さえるためのスライド型押さえピン４８を有している。尚、スライド型押さえピン４８を有することにより、樹脂ハウジング３１における壁４１（図４参照）には、スライド型押さえ穴４９（図４参照）が形成されるようになっている。スライド型４５により生じる部分、及びスライド型押さえピン４８により生じる部分は、図４中の破線で囲むＢ、Ｃの部分となっている。
【００３０】
図３において、樹脂カバー３３は、絶縁性を有し且つ透明で耐熱性のある樹脂材料を用いて成形されている。樹脂カバー３３は、略帯板形状のカバー本体５０と、このカバー本体５０の左右両側部位置に連成されるアーム部５１とを有している。
【００３１】
カバー本体５０は、露出窓部３２を覆う部分として形成されている。このようなアーム部５１には、略爪状の係止突起５２が形成されている。係止突起５２は、スリット４２の係止部４３に引っ掛かり係止される部分として形成されている。係止突起５２は、係止部４３に入り込み、これによってスリット４２を覆うことができるようになっている。
【００３２】
アーム部５１は、露出窓部３２を樹脂カバー３３にて覆う際、外側に撓みつつ係止突起５２がスリット４２の縁部を乗り越えることができるように形成されている。係止突起５２がスリット４２の係止部４３に引っ掛かり係止されると、これにより樹脂カバー３３が露出窓部３２に対して係止され、露出窓部３２に対する樹脂カバー３３の嵌合が完了するようになっている。
【００３３】
樹脂カバー３３は、この両側部位置となる二箇所で係止されることから、嵌合状態は強く、仮に溶断が起きたとしもこの際の爆発風によってカバー浮き上がりが生じてしまうようなことはない。そして、カバー浮き上がりが生じなければ溶断片が飛び散るようなこともない。
【００３４】
以上、図１ないし図６を参照しながら説明してきたように、本発明のヒュージブルリンクユニット２１は、バッテリー２３に組み付けられた状態において可溶部２８の視認をする必要のない側に樹脂カバー３３を嵌合させない構造であることから、従来例に比べ部品点数の削減及び構造の簡素化を図るとともにコストの低減を図ることができる。
【００３５】
また、本発明のヒュージブルリンクユニット２１は、樹脂カバー３３を嵌合・係止させる部分を新たに設けなくても、壁４１の形成の際に生じるスリット４２にて代用することができる。従って、構造の簡素化を図ることができる。
【００３６】
さらに、本発明のヒュージブルリンクユニット２１は、スリット４２を樹脂カバー３３の係止突起５２にて覆う構造であることから、スリット４２の部分において防塵性能や防水性能を確保することができる。
【００３７】
本発明は本発明の主旨を変えない範囲で種々変更実施可能なことは勿論である。
【符号の説明】
【００３８】
２１…ヒュージブルリンクユニット
２２…バッテリーターミナル
２３…バッテリー
２４…バッテリーポスト
２５…裏面
２６…側面
２７…表面
２８…可溶部
２９…バスバー
３０、３１…樹脂ハウジング
３２…露出窓部
３３…樹脂カバー
３４…ボルト
３５…ヒンジ部
３６…バッテリーターミナル接続部
３７…第一端子接続部
３８…第二端子接続部
３９…細幅部
４０…フィン
４１…壁
４２…スリット
４３…係止部
４４…樹脂成形金型
４５…スライド型
４６…上型
４７…下型
４８…スライド型押さえピン
４９…スライド型押さえ穴
５０…カバー本体
５１…アーム部
５２…係止突起
【図１】
0005586241.tif 000002
【図２】
0005586241.tif 000003
【図３】
0005586241.tif 000004
【図４】
0005586241.tif 000005
【図５】
0005586241.tif 000006
【図６】
0005586241.tif 000007
【図７】
0005586241.tif 000008